(57)【要約】      （修正有）【課題】外出監視モードに関する伝言メッセージの有無に連動して電気錠の解錠操作を有効／無効とし、外出前における伝言メッセージの入力を必須とするとともに、この伝言メッセージを、携帯端末のメール機能により確認させることで利便性を高める。【解決手段】親機３の入力部３０１ａ、３０４に入力され、親機制御部３０６の制御により記憶部３０３に保存させる外出監視モードに関する伝言メッセージの有無に連動して電気錠２の電気錠解錠ボタン２０２による解錠操作を有効／無効とし、外出監視モードの設定時で帰宅時間が経過したときには、親機制御部の制御により記憶部から読み出されるメールアドレスの携帯端末４にメール送信部３０５からメール送信を行う一方、この帰宅時間の経過前に電気錠の外側解錠操作部２０１による解錠操作が行われたときには、メール送信部からのメール送信の動作を停止する。【選択図】図１
2010074749.tif 000002
【特許請求の範囲】
【請求項１】
住戸玄関の住戸外側に設置される子機（１）と、前記住戸玄関の玄関扉に設置される電気錠（２）と、前記住戸玄関の住戸内側に設置され、子機ライン（Ｌ1）を経由して接続された前記子機からの呼び出しに応答して通話を成立させるとともに、電気錠ライン（Ｌ2）を経由して接続された前記電気錠を解錠させるための親機（３）とを設け、
前記電気錠には、当該電気錠の施錠又は解錠を行うための施解錠部（２００）と、前記住戸玄関の住戸外側から電気錠制御部（２０３）を制御して前記施解錠部を解錠させるための外側解錠操作部（２０１）と、前記住戸玄関の住戸内側から前記電気錠制御部を制御して前記施解錠部を解錠させるための電気錠解錠ボタン（２０２）とを備え、
前記親機には、前記住戸外への外出を監視する外出監視モードを設定するための親機操作部（３０４）と、前記外出に伴う帰宅時間を入力するための入力部（３０１ａ、３０４）と、前記入力部にて前記帰宅時間が入力されたことを検出し、前記電気錠解錠ボタンによる解錠操作を有効にするための親機制御部（３０６）とを備えることを特徴とするインターホン装置。
【請求項２】
前記親機には、前記帰宅時間を表示するための表示部（３００）を備え、
前記親機制御部は、前記外出監視モードの設定時で前記帰宅時間の経過前に前記外側解錠操作部による解錠操作が行われたとき、前記表示部を制御して前記帰宅時間を表示することを特徴とする請求項１記載のインターホン装置。
【請求項３】
前記親機には、汎用ネットワーク（５）を経由して接続される携帯端末（４）のメールアドレスを保存するための記憶部（３０３）を備え、
前記親機制御部は、前記外出監視モードの設定時で前記帰宅時間が経過したとき、前記記憶部に保存されたメールアドレスにメール送信部（３０５）からメール送信を行うことを特徴とする請求項１又は請求項２記載のインターホン装置。
【請求項４】
前記親機制御部は、前記外出監視モードの設定時で前記帰宅時間の経過前に前記外側解錠操作部による解錠操作が行われたとき、前記メール送信部からのメール送信を停止することを特徴とする請求項３記載のインターホン装置。
【発明の詳細な説明】
【技術分野】
【０００１】
本発明は、子機からの呼び出しに親機が応答して通話を成立させることができるインターホン装置に係り、特に、電気錠の施解錠機能、伝言入力機能及びメール送信機能を親機に備え、この伝言入力機能に連動させて施解錠機能及びメール送信機能をそれぞれ制御することができるインターホン装置に関する。
【背景技術】
【０００２】
従来から、この種のインターホン装置として、玄関に設置された子機からの呼び出しを、住戸内に設置された親機にて報知し、この子機及び親機の間で音声信号を送受信して通話を行うとともに、親機の操作により、玄関の電気錠を解錠することができる電気錠施錠／解錠機能付テレビドアホンが開示されている（例えば、特許文献１を参照。）。
【０００３】
また、前述の親機のような通話端末に音声信号を録音・再生する音声信号録音再生部を設けて伝言の操作性を向上することができるインターホン装置が開示されている（例えば、特許文献２を参照。）。
【０００４】
【特許文献１】特開平６−３０３６１５号公報
【特許文献２】特開平８−２３７３７７号公報
【発明の開示】
【発明が解決しようとする課題】
【０００５】
特許文献１に記載の電気錠の制御機能を有する親機に、特許文献２に記載の音声信号の録音・再生機能を備えるにあたって、この録音・再生機能を使用せず、居住者が外出先や帰宅時間の伝言メッセージを残さずに電気錠を解錠させて外出すると、その家族は、外出中の居住者に連絡を取らなければ、外出先や帰宅時間を確認することができなかった。また、録音・再生機能を使用して外出先や帰宅時間の伝言メッセージを残した後に電気錠を解錠させて外出した場合であっても、その家族が外出していると、外出中の居住者に連絡を取らなければ、外出先や帰宅時間を確認することができなかった。
【０００６】
本発明は、これらの難点を解消するためになされたもので、外出監視モードに関する伝言メッセージの有無に連動して電気錠の解錠操作を有効／無効とし、外出前における伝言メッセージの入力を必須とするとともに、この伝言メッセージを、携帯端末のメール機能により確認させることで利便性を高めたインターホン装置を提供することを目的としている。
【課題を解決するための手段】
【０００７】
前述の目的を達成するため、本発明の第１の態様であるインターホン装置は、住戸玄関の住戸外側に設置される子機と、住戸玄関の玄関扉に設置される電気錠と、住戸玄関の住戸内側に設置され、子機ラインを経由して接続された子機からの呼び出しに応答して通話を成立させるとともに、電気錠ラインを経由して接続された電気錠を解錠させるための親機とを設けている。電気錠には、当該電気錠の施錠又は解錠を行うための施解錠部と、住戸玄関の住戸外側から電気錠制御部を制御して施解錠部を解錠させるための外側解錠操作部と、住戸玄関の住戸内側から電気錠制御部を制御して施解錠部を解錠させるための電気錠解錠ボタンとを備えている。親機には、住戸外への外出を監視する外出監視モードを設定するための親機操作部と、外出に伴う帰宅時間を入力するための入力部と、入力部にて帰宅時間が入力されたことを検出し、電気錠解錠ボタンによる解錠操作を有効にするための親機制御部とを備えている。
【０００８】
また、本発明の第２の態様であるインターホン装置は、本発明の第１の態様において、親機には、帰宅時間を表示するための表示部を備えており、親機制御部は、外出監視モードの設定時で帰宅時間の経過前に外側解錠操作部による解錠操作が行われたとき、表示部を制御して帰宅時間を表示するものである。
【０００９】
また、本発明の第３の態様であるインターホンシステムは、本発明の第１の態様又は第２の態様において、親機には、汎用ネットワークを経由して接続される携帯端末のメールアドレスを保存するための記憶部を備えており、親機制御部は、外出監視モードの設定時で帰宅時間が経過したとき、記憶部に保存されたメールアドレスにメール送信部からメール送信を行うものである。
【００１０】
また、本発明の第４の態様であるインターホンシステムは、本発明の第３の態様において、親機制御部は、外出監視モードの設定時で帰宅時間の経過前に外側解錠操作部による解錠操作が行われたとき、メール送信部からのメール送信を停止するものである。
【発明の効果】
【００１１】
本発明のインターホンシステムによれば、親機の入力部に入力され、親機制御部の制御により記憶部に保存させる外出監視モードに関する伝言メッセージの有無に連動して、電気錠の電気錠解錠ボタンによる解錠操作を有効／無効とすることにより、外出前における伝言メッセージの入力を必須として入力忘れの状態で外出することを容易に防止することできるばかりでなく、外出監視モードの設定時で帰宅時間が経過したときには、親機制御部の制御により記憶部から読み出されるメールアドレスの携帯端末にメール送信部からメール送信を行うことができる一方、この帰宅時間の経過前に電気錠の外側解錠操作部による解錠操作が行われたときには、メール送信部からのメール送信の動作を停止することができる。これにより、例えば、外出前の子供による帰宅時間の伝言設定を確実に行うことができるばかりでなく、その親は、子供に直接連絡を取らなくても、帰宅時間を過ぎているのにも関わらず帰宅していないことを、外出先で容易に確認することができる。
【発明を実施するための最良の形態】
【００１２】
以下、本発明のインターホン装置を適用した最良の実施の形態例について、図面を参照して説明する。
【００１３】
図１は、本発明の実施例によるインターホン装置の具体的な構成を示すブロック図である。このインターホン装置には、住戸玄関に設置され来訪者が住戸内に在宅中の居住者を呼び出して通話を成立させるための子機１と、住戸玄関の玄関扉に設置され当該玄関扉の施解錠を行うための電気錠２と、住戸内に設置され子機ラインＬ1を経由して接続された子機１からの呼び出し、すなわち、来訪者からの呼び出しに居住者が応答して通話を成立させるとともに、親機ラインＬ2を経由して接続された電気錠２の施解錠状態を制御するための親機３と、例えば、外出中の居住者により携行され所定のメールアドレスを有する携帯端末４と、親機３から携帯端末４に送信されるメールの伝送路を形成するための例えば、公衆ＬＡＮ、インターネット通信網等にて構成される汎用ネットワーク５とが設けられている。
【００１４】
子機１には、子機操作部１００、映像撮像部１０１、子機通話部１０２及び子機Ｉ／Ｆ（インターフェース）１０３が備えられている。
【００１５】
この子機１において、子機操作部１００は、来訪者が居住者を呼び出すための呼出操作を行うものであり、例えば、呼出ボタンにて構成されている。
【００１６】
映像撮像部１０１は、来訪者の映像や住戸玄関の周囲近傍の映像（監視映像を含む。）を撮像するためのものであり、例えば、ＣＣＤ、ＣＭＯＳ等の各種のカメラにて構成されている。
【００１７】
子機通話部１０２は、来訪者が居住者との間で通話を成立させるための音声（送話音声、受話音声）信号を入出力するものであり、例えば、子機マイク及び子機スピーカ（符号は付与せず。）にて構成されている。
【００１８】
子機Ｉ／Ｆ１０３は、子機操作部１００から子機ラインＬ1への信号伝送路と、映像撮像部１０１から子機ラインＬ1への信号伝送路と、子機通話部１０２及び子機ラインＬ1の間の信号伝送路（通話路）とをそれぞれ形成するためのものである。
【００１９】
また、電気錠２には、施解錠部２００、外側解錠操作部２０１、電気錠解錠ボタン２０２及び電気錠制御部２０３が備えられている。
【００２０】
この電気錠２において、施解錠部２００は、当該電気錠の施解錠を行うためのものである。また、外側解錠操作部２０１は、住戸玄関の住戸外側から施解錠部２００を解錠するための解錠操作を行うものである。また、電気錠解錠ボタン２０２は、住戸玄関の住戸内側から施解錠部２００を解錠するための解錠操作を行うものである。
【００２１】
電気錠制御部２０３は、外側解錠操作部２０１による解錠操作の検出、電気錠解錠ボタン２０２による解錠操作の検出、又は親機３の親機制御部３０６からの解錠制御の検出がトリガとなり、施解錠部２００を解錠させるためのものである。
【００２２】
さらに、親機３には、表示部３００、親機通話部３０１、音声認識部３０２、記憶部３０３、親機操作部３０４、メール送信部３０５、親機制御部３０６、子機側親機Ｉ／Ｆ３０７、電気錠側親機Ｉ／３０８及びネットワーク側親機Ｉ／Ｆ３０９が備えられている。
【００２３】
この親機３において、表示部３００は、親機制御部３０６によって制御され、子機１の映像撮像部１０１にて撮像された映像の出画表示、来訪者による子機１からの呼び出しがある旨の呼出表示、電気錠２の施解錠状態を示す状態表示をそれぞれ行うとともに、入力部を構成する親機通話部３０１の後述する親機マイク３０１ａへ外出前に音声入力され、又は同様に入力部を構成する親機操作部３０４にて外出前にデータ入力され、音声認識部３０２にて認識（文字認識）される住戸内から住戸外への外出を監視する外出監視モードに関する伝言メッセージとして、少なくとも帰宅時間情報を表示する、ここでは、帰宅時間情報のみならず外出先情報を併せて表示するためのものであり、例えば、ＬＣＤ、ＰＤＰ、有機ＥＬディスプレイ等の各種の表示媒体にて構成されている。
【００２４】
親機通話部３０１は、居住者が来訪者との間で通話を成立させるための音声（送話音声、受話音声）の入出力を行うものであり、例えば、親機マイク３０１ａ及び親機スピーカ３０１ｂにて構成されている。ここで、親機マイク３０１ａは、前述の帰宅時間情報や外出先情報を、外出前に音声入力することができる。また、親機スピーカ３０１ｂは、親機制御部３０６によって制御され、来訪者による子機１からの呼び出しがある旨の呼出発報、電気錠２の施解錠状態を示す状態発報をそれぞれ行うことができる。
【００２５】
音声認識部３０２は、親機制御部３０６によって制御され、親機通話部３０１の親機マイク３０１ａへの音声入力の有無、又は親機操作部３０４へのデータ入力の有無を検出し、音声入力又はデータ入力された前述の帰宅時間情報や外出先情報を、音声データで記憶部３０３に保存させるとともに、文字データに変換して記憶部３０３に保存させるためのものである。
【００２６】
記憶部３０３は、親機制御部３０６によって制御され、音声認識部３０２にて認識された前述の帰宅時間情報や外出先情報の音声データ及び文字データを保存するとともに、携帯端末４のメールアドレスを保存するためのものであり、例えば、ＲＡＭ、ＥＥＰＲＯＭ等の各種の記憶媒体にて構成されている。
【００２７】
親機操作部３０４は、親機制御部３０６によって操作検出され、居住者が来訪者からの呼び出しに応答するための応答操作又は成立中の通話を終了させるための終話操作を行うための通話ボタン、電気錠２を解錠させるための電気錠ボタン、外出監視モードを設定するための監視ボタン等（符号は付与せず。）を備えており、その態様としては、各種ボタンがそれぞれ独立した押圧ボタン、或いは、表示部３００の前面に配置されたタッチパネルにて構成されている。
【００２８】
メール送信部３０５は、親機制御部３０６によって制御され、記憶部３０３から読み出されるメールアドレスを付加した送信メールを生成するためのものである。
【００２９】
親機制御部３０６は、親機３を構成する前述の各部を制御するためのものである。また、子機側親機Ｉ／Ｆ３０７は、子機ラインＬ1から表示部３００への信号伝送路と、親機通話部３０１及び子機ラインＬ1の間の信号伝送路（通話路）と、親機制御部３０６及び子機ラインＬ1の間の信号伝送路とをそれぞれ形成するためのものである。また、電気錠側親機Ｉ／Ｆ３０８は、親機制御部３０６及び電気錠ラインＬ2の間の信号伝送路を形成するためのものである。さらに、ネットワーク側親機Ｉ／Ｆ３０９は、メール送信部３０５から汎用ネットワーク５へのメール送信路を形成するためのものである。
【００３０】
このように構成された本発明の実施例によるインターホン装置において、以下、具体的な動作について、図１及び図２の説明図をそれぞれ参照して説明する。ここで、図２は、親機３の親機制御部３０６にて検出される当該親機の動作モードを示す図である。なお、来訪者による子機１からの呼び出しに居住者が親機３にて応答して通話を成立させる動作と、子機１の映像撮像部101にて撮像された映像信号を親機３の表示部３００に出画させる動作とはそれぞれ、インターホン通話・映像撮像／出画機能を有する各種の特許文献にて開示されており公知技術であるため、説明は省略する。
【００３１】
最初に、現状において住戸内に居住者が在宅中であり、親機３の親機制御部３０６にて検出される動作モードが、図２に示すシーン番号「１」の「在宅状態を管理せず、外出監視モードが非設定（オフ）」であるとき、携帯端末４を携行して外出予定の居住者は、親機３の親機操作部３０４を使用して携帯端末４が有するメールアドレスを入力する。この操作を検出した親機制御部３０６は、入力されたメールアドレスを記憶部３０３に保存して登録することができる。
【００３２】
次に、前述のようなメールアドレスの登録後において、住戸内に別途の居住者を在宅させたまま、ここでは、子供を在宅させたままで携帯端末４を携行して外出予定の居住者は、親機３の親機操作部３０４を使用して当該親機の動作モードの変更操作を行う。この操作を検出した親機制御部３０６は、図２に示すシーン番号「１」の「在宅状態を管理せず、外出監視モードが非設定（オフ）」の動作モードから、シーン番号「２」の「在宅状態で外出監視モードが設定（オン）」の動作モードに遷移する。
【００３３】
次に、携帯端末４を携行した居住者が外出中であるとき、住戸内に在宅中の子供が外出しようとするにあたって、親機３の親機操作部３０４を使用して伝言設定操作を行うと、この操作を検出した親機制御部３０６は、親機通話部３０１の親機マイク３０１ａから音声認識部３０２を経由して記憶部３０３への信号伝送路を形成する。この後、外出しようとする子供は、外出監視モードに関する伝言メッセージとして、少なくとも帰宅時間情報を、ここでは、帰宅時間情報及び外出先情報を親機マイク３０１ａに入力することができ、この音声データは、前述の信号伝送路を経由して記憶部３０３へ送出され保存されるとともに、音声認識部３０２にて例えば、文字メッセージや絵データに変換された後、記憶部３０３へ送出され保存される。
【００３４】
また、親機３の記憶部３０３に保存させる帰宅時間情報や外出先情報の文字メッセージや絵データは、親機通話部３０１の親機マイク３０１ａへの音声入力に伴い音声認識部３０２にて認識される当該データの態様に限定されるものではなく、親機操作部３０４の使用によりデータ入力される文字メッセージや絵データの態様も好適とされる。なお、記憶部３０３に保存させる外出監視モードに関する伝言メッセージは、帰宅時間情報が少なくとも保存されていれば足り、外出先情報は任意の保存情報である。
【００３５】
次に、前述のような伝言設定後において、外出しようとする子供が電気錠２の電気錠解錠ボタン２０２を使用して住戸玄関の住戸内側から解錠操作を行うと、この操作を検出した電気錠制御部２０３は、解錠要求信号を生成し、電気錠ラインＬ2、親機３の電気錠側親機Ｉ／Ｆ３０８を経由して親機制御部３０６に送出する。この解錠要求信号を検出した親機制御部３０６は、図２に示すシーン番号「２」の「在宅状態で外出監視モードが設定（オン）」の動作モード時において伝言設定が行われていることを検出し、電気錠制御部２０３を制御して施解錠部２００を施錠状態から解錠状態に遷移させることにより、外出しようとする子供は、玄関扉を開けて住戸内から住戸外に出て外出先に向かうことができるとともに、当該親機の動作モードを、図２に示すシーン番号「２」の「在宅状態で外出監視モードが設定（オン）」の動作モードから、シーン番号「３」の「不在状態で外出監視モードが設定（オン）」の動作モードに遷移させる。
【００３６】
なお、住戸外に出た子供は、玄関扉を閉める、又は外側解錠操作部２０１の使用による住戸玄関の住戸外側からの施錠操作を検出した電気錠制御部２０３の制御により、施解錠部２００を解錠状態から施錠状態に遷移させることができる。
【００３７】
一方、親機３の親機制御部３０６にて検出される動作モードが、図２に示すシーン番号「２」の「在宅状態で外出監視モードが設定（オン）」の動作モード時において、前述の伝言設定が行われていないのにも関わらず、外出しようとする子供が電気錠２の電気錠解錠ボタン２０２を使用して解錠操作を行うと、この操作を検出した電気錠制御部２０３は、解錠要求信号を生成して親機３の親機制御部３０６に送出するものの、この解錠要求信号を検出した親機制御部３０６は、伝言設定が行われていないことを検出し、電気錠制御部２０３への解錠制御を行わずに施解錠部２００の施錠状態を保持させるとともに、前述の伝言設定を必須として外出前の子供に促すための警報音や音声メッセージを親機通話部３０１の親機スピーカ３０１ｂから出力させることができる。また、親機制御部３０６は、前述の伝言設定を子供に促すにあたり、その旨の文字メッセージや絵データを表示部３００に表示させることもできる。
【００３８】
ここまでの動作により、外出しようとする子供は、確実に伝言設定を行った後、外出先に向かうことができる。
【００３９】
次に、親機３の親機制御部３０６にて検出される動作モードが、図２に示すシーン番号「３」の「不在状態で外出監視モードが設定（オン）」の動作モード時であり、また伝言設定が行われている状態において、親機３の記憶部３０３に保存されている外出監視モードに関する伝言メッセージの帰宅時間情報をもとに、その帰宅時間が経過すると、これを検出した親機制御部３０６は、メール送信部３０５を制御し、例えば、帰宅時間が経過した旨及び外出先情報を含むメールデータに記憶部３０３から読み出したメールアドレスを付加した送信メールを生成させる。この送信メールは、メール送信部３０５からネットワーク側親機Ｉ／Ｆ３０９を経由して汎用ネットワーク５に送出され、この汎用ネットワーク５との間で通信を行う外出中の居住者、例えば、親により携行された携帯端末４にて受信される。
【００４０】
ここまでの動作により、携帯端末４を携行して外出中の居住者、例えば、親は、携帯端末４にて受信され適宜な手段で表示・発報される帰宅時間が経過した旨を、外出先情報と併せて、子供に直接連絡を取らなくても外出先で容易に確認することができる。この後、親は、必要に応じて自宅に電話をかける等を行い、子供が帰宅しているか否かを容易に判断することもできる。
【００４１】
次に、親機３の親機制御部３０６にて検出される動作モードが、図２に示すシーン番号「３」の「不在状態で外出監視モードが設定（オン）」の動作モード時であり、また伝言設定が行われている状態において、携帯端末４を携行して外出中の居住者が、親機３の記憶部３０３に保存されている外出監視モードに関する伝言メッセージの帰宅時間情報に基づく帰宅時間の経過前に帰宅するにあたり、電気錠２の外側電気錠操作部２０１を使用して住戸玄関の住戸外側から解錠操作を行うと、この操作を検出した電気錠制御部２０３の制御により施解錠部２００が施錠状態から解錠状態に遷移するとともに、解錠通知信号が生成され、前述の解錠要求信号と同一の信号伝送路を経由して親機３の親機制御部３０６に送出される。この解錠通知信号を検出した親機制御部３０６は、住戸玄関の住戸外側から解錠操作が行われたことを検出し、当該親機の動作モードを、図２に示すシーン番号「３」の「不在状態で外出監視モードが設定（オン）」の動作モードから、シーン番号「１」の「在宅状態を管理せず、外出監視モードが非設定（オフ）」の動作モードに遷移（復旧）させるとともに、記憶部３０３に保存されている帰宅時間情報や外出先情報の文字メッセージや絵データを、表示部３００に表示させることができるとともに、メール送信部３０５の制御による携帯端末４へのメール送信の動作を行わずに、その状態を保持する。
【００４２】
ここまでの動作により、携帯端末４を携行して外出中の居住者は、電気錠２が施錠状態から解錠状態に遷移された玄関扉を開けて住戸外から住戸内に入り帰宅することができ、この後、親機３の表示部３００に表示されている文字メッセージや絵データをもとに、外出中である子供の帰宅時間情報や外出先情報を、携帯端末４を使用せずに容易に確認することができる。
【００４３】
次に、親機３の親機制御部３０６にて検出される動作モードが、図２に示すシーン番号「３」の「不在状態で外出監視モードが設定（オン）」の動作モード時であり、また伝言設定が行われている状態において、外出中の子供が、親機３の記憶部３０３に保存されている外出監視モードに関する伝言メッセージの帰宅時間情報に基づく帰宅時間の経過前に帰宅するにあたり、電気錠２の外側電気錠操作部２０１を使用して住戸玄関の住戸外側から解錠操作を行うと、前述の携帯端末４を携行した外出中の居住者による帰宅時と同様、電気錠２の施解錠部２００が施錠状態から解錠状態に遷移するとともに、親機３の親機制御部３０６の制御により、当該親機の動作モードが、図２に示すシーン番号「３」の「不在状態で外出監視モードが設定（オン）」の動作モードから、シーン番号「１」の「在宅状態を管理せず、外出監視モードが非設定（オフ）」の動作モードに遷移（復旧）されるとともに、記憶部３０３に保存されている帰宅時間情報や外出先情報の文字メッセージや絵データが、表示部３００に表示され、メール送信部３０５の制御による携帯端末４へのメール送信の動作を行わずに、その状態を保持する。
【００４４】
ここまでの動作により、外出中の子供は、電気錠２が施錠状態から解錠状態に遷移された玄関扉を開けて住戸外から住戸内に入り帰宅することができ、この後、親機３の表示部３００に表示されている文字メッセージや絵データをもとに、実際の帰宅時間が伝言設定した帰宅時間内であることを容易に確認できる。
【００４５】
本発明のインターホン装置においては、特定の実施の形態をもって説明してきたが、この形態に限定されるものでなく、本発明の効果を奏する限り、これまで知られた如何なる構成の当該装置、例えば、電気錠２を解錠する機器として電気錠コントローラ及び／又は外部解錠装置を有するインターホン装置や、マンション等の集合住宅に設置されるインターホン装置であっても採用できるということはいうまでもないことである。
【００４６】
また、本発明のインターホン装置において、同一の住戸内に複数の子供が在宅する当該住戸に適用するにあたっては、複数の子供にそれぞれＲＦＩＤ等の個人認証機能を適用させ、帰宅時間情報や外出先情報をＩＤ毎に割り当てて親機３の記憶部３０３に保存することもでき、ＩＤ毎の制御が可能となる。
【図面の簡単な説明】
【００４７】
【図１】図１は、本発明の実施例によるインターホン装置の具体的な構成を示すブロック図である。
【図２】図２は、本発明の実施例によるインターホン装置において、親機の親機制御部にて検出される当該親機の動作モードを示す説明図である。
【符号の説明】
【００４８】
１……子機
２……電気錠
２００……施解錠部
２０１……外側電気錠操作部
２０２……電気錠解錠ボタン
２０３……電気錠制御部
３……親機
３００……表示部
３０１ａ……親機マイク（入力部）
３０３……記憶部
３０４……親機操作部（入力部）
３０５……メール送信部
３０６……親機制御部
４……携帯端末
５……汎用ネットワーク
Ｌ1……子機ライン
Ｌ2……電気錠ライン
【図１】
2010074749.tif 000003
【図２】
2010074749.tif 000004